(57)【要約】【課題】外筒内部の状態を把握し易くすることで、安心感を付与するとともに、操作性を向上できる生理用タンポンを提供する。【解決手段】生理用タンポン（１）は、吸収体（４０）と、吸収体の少なくとも一部を収容する外筒（２０）と、吸収体を外筒から押し出すように外筒内に挿入方向に沿って挿入される内筒（３０）と、を有する。外筒の光線透過率は、３０％以上である。生理用タンポンは、外筒と吸収体が厚み方向に重なる第１領域（Ｒ１）と、外筒と内筒が厚み方向に重なる第２領域（Ｒ２）と、を有する。L*a*b*色空間における第１領域の外筒の外周面の色差と、L*a*b*色空間における第２領域の外筒の外周面の色差と、の差は、６．５以上である。【選択図】  図１
2020014929.tif 000002
【特許請求の範囲】
【請求項１】
吸収体と、前記吸収体の少なくとも一部を収容する外筒と、前記吸収体を前記外筒から押し出すように前記外筒内に挿入方向に沿って挿入される内筒と、を有する生理用タンポンであって、
前記外筒の光線透過率は、３０％以上であり、
前記生理用タンポンは、前記外筒と前記吸収体が厚み方向に重なる第１領域と、前記外筒と前記内筒が前記厚み方向に重なる第２領域と、を有し、
L*a*b*色空間における前記第１領域の前記外筒の外周面の色差と、L*a*b*色空間における前記第２領域の前記外筒の外周面の色差、の差は、６．５以上である、生理用タンポン。
【請求項２】
前記第２領域において、前記内筒の外径は、前記外筒の外径に対する５０％以上８０％以下である、請求項１に記載の生理用タンポン。
【請求項３】
前記内筒の前記挿入方向の前端における外径は、前記吸収体の前記挿入方向の後端における外径と異なる、請求項１又は請求項２に記載の生理用タンポン。
【請求項４】
前記内筒は、前記内筒の外径が最大となる最外径部を有し、
前記最外径部は、前記内筒の前記挿入方向の前端と離間している、請求項１から請求項３のいずれか１項に記載の生理用タンポン。
【請求項５】
前記内筒は、前記挿入方向において三等分した複数の領域を有し、
前記複数の領域は、前記挿入方向の前側に位置する前側領域と、前記挿入方向の後側に位置する後側領域と、前記前側領域と前記後側領域の間に位置する中央領域と、を有し、
前記最外径部は、前記前側領域のみに配置されている、請求項４に記載の生理用タンポン。
【請求項６】
前記内筒の前記挿入方向の前端における外径は、前記吸収体の前記挿入方向の後端における外径よりも小さい、請求項４又は請求項５に記載の生理用タンポン。
【請求項７】
前記内筒の前記最外径部における厚みは、前記内筒の前記前端における厚みよりも厚い、請求項４から請求項６のいずれか１項に記載の生理用タンポン。
【請求項８】
前記外筒は、使用時に使用者が指で把持するための把持部を有し、
前記把持部は、前記外筒の径方向の外側に膨らむ外筒凸部を有し、
前記外筒凸部が設けられた領域の前記外筒の厚みは、前記把持部における前記外筒凸部以外の領域の前記外筒の厚みよりも厚い、請求項１から請求項７のいずれか１項に記載の生理用タンポン。
【請求項９】
前記吸収体から前記挿入方向の後側に延出する紐部が設けられており、
前記紐部の少なくとも一部は、前記内筒内に配置されており、
前記紐部は、前記内筒の外側から視認可能に構成されている、請求項１から請求項８のいずれか１項に記載の生理用タンポン。
【請求項１０】
前記内筒は、前記内筒の周囲の領域の厚みよりも厚い厚みを有する内筒厚部を有する、請求項１から請求項９のいずれか１項に記載の生理用タンポン。
【請求項１１】
前記内筒厚部は、前記内筒の径方向の外側に膨らむ内筒凸部を有し、
前記内筒凸部は、前記吸収体が前記外筒外に押し出される位置まで前記内筒が前記挿入方向に移動した押し出し状態において、前記外筒の前記挿入方向の後端に係止する、請求項１０に記載の生理用タンポン。
【請求項１２】
前記外筒は、前記挿入方向の前端に設けられた押し出し開口と、前記押し出し開口を囲む複数の花弁状部分と、を有し、
前記内筒は、前記押し出し状態において、前記複数の花弁状部分間の隙間と厚み方向に重なっている、請求項１１に記載の生理用タンポン。
【請求項１３】
前記外筒及び前記内筒は、寒色系の色である、請求項１から請求項１２のいずれか１項に記載の生理用タンポン。
【請求項１４】
前記外筒は、生分解性プラスチック又は植物性プラスチックによって構成されている、請求項１から請求項１３のいずれか１項に記載の生理用タンポン。
【発明の詳細な説明】
【技術分野】
【０００１】
本発明は、アプリケータを有する生理用タンポンに関する。
【背景技術】
【０００２】
従来、アプリケータを有する生理用タンポンが提供されている（例えば、特許文献１及び２参照）。アプリケータは、外筒と内筒を備えている。外筒の内部には、引き出し紐を有する吸収体が収納されている。使用者は、生理用タンポンを使用する際に、外筒を把持した状態で外筒を膣内に挿入した後、内筒を外筒に向けて押圧する。吸収体は、内筒が外筒に向けて押圧されると、外筒から押し出されて膣内に配置される。
【０００３】
特許文献１の生理用タンポンは、第１内筒と第２内筒を有しており、内筒によって吸収体を押圧する前に、第１内筒と第２内筒を組み立てる作業が必要である。そのため、使用者によっては、生理用タンポンの操作を円滑に行うことができないことがあった。特に、生理用タンポンに不慣れな使用者は、正確に操作を行うことができず、適切な位置に吸収体を配置できないことがあった。特許文献１は、このような問題を鑑みて、第１内筒を透明又は半透明とし、第２内筒を着色し、操作性を向上させている。
【０００４】
また、特許文献２の生理用タンポンは、外筒及び内筒が着色されている。特許文献２の生理用タンポンは、生理用タンポンのファッション性を追求し、生理日の憂鬱な気持ちを払拭させるように構成されている。
【先行技術文献】
【特許文献】
【０００５】
【特許文献１】実用新案登録第３０６５０４６号公報
【特許文献２】特許第５７１５９９３号公報
【発明の概要】
【発明が解決しようとする課題】
【０００６】
特許文献１の生理用タンポンによれば、第１内筒と第２内筒を組み立てる作業の操作性を向上できる。しかし、従来、次のような課題があった。生理用タンポンの使用前には、吸収体が外筒内に収容されており、使用者は、吸収体の位置や内筒を押圧した際の吸収体の移動状態を把握し難い。使用者によっては、外筒内部の状態を把握できないことに起因して生理用タンポンの操作性に不安を感じることがあった。また、特許文献２の生理用タンポンは、ファッション性を向上させるように構成されているが、操作性については考慮されてなく、外筒内部の状態を把握できないことに起因した操作性の不安を払拭させることができなかった。
【０００７】
本発明は、このような問題に鑑みてなされたものであり、外筒内部の状態を把握し易くすることで、安心感を付与するとともに、操作性を向上できる生理用タンポンを提供する。
【課題を解決するための手段】
【０００８】
一態様に係る生理用タンポンは、吸収体と、前記吸収体の少なくとも一部を収容する外筒と、前記吸収体を前記外筒から押し出すように前記外筒内に挿入方向に沿って挿入される内筒と、を有する生理用タンポンである。前記外筒の光線透過率は、３０％以上である。前記生理用タンポンは、前記外筒と前記吸収体が厚み方向に重なる第１領域と、前記外筒と前記内筒が前記厚み方向に重なる第２領域と、を有する。L*a*b*色空間における前記第１領域の前記外筒の外周面の色差と、L*a*b*色空間における前記第２領域の前記外筒の外周面の色差と、の差は、６．５以上である。
【図面の簡単な説明】
【０００９】
【図１】図１は、生理用タンポンの側面図である。
【図２】図２は、生理用タンポンを構成する部材の側面図である。
【図３】図３は、生理用タンポン１の使用状態を説明するための図である。
【発明を実施するための形態】
【００１０】
（１）実施形態の概要
本明細書及び添付図面の記載により、少なくとも以下の事項が明らかとなる。
一態様に係る生理用タンポンは、吸収体と、前記吸収体の少なくとも一部を収容する外筒と、前記吸収体を前記外筒から押し出すように前記外筒内に挿入方向に沿って挿入される内筒と、を有する生理用タンポンである。前記外筒の光線透過率は、３０％以上である。前記生理用タンポンは、前記外筒と前記吸収体が厚み方向に重なる第１領域と、前記外筒と前記内筒が前記厚み方向に重なる第２領域と、を有する。L*a*b*色空間における前記第１領域の前記外筒の外周面の色差、L*a*b*色空間における前記第２領域の前記外筒の外周面の色差と、の差は、６．５以上である。本態様によれば、外筒の光線透過率が３０％以上であり、使用者は、外筒の外側から外筒内部を視認できる。また、第１領域の外筒の外周面と第２領域の外筒の外周面の差が６．５以上であるため、使用者は、吸収体が配置された領域と内筒が配置された領域を区別して認識できる。そのため、外筒内における吸収体の位置や状態、及び外筒内における内筒の位置や状態を把握し易い。使用者は、外筒内部の状態を容易に把握できるため、例えば、使用前に、内筒をどの程度押圧することによって吸収体が移動すること等、操作時における外筒内部の状態を把握できる。使用前に生理用タンポンの操作に対する不安を払拭することにより、実際の使用時に安心感を得ることができるとともに、適切かつ容易に操作することができ、操作性を向上できる。
【００１１】
好ましい一態様によれば、前記第２領域において、前記内筒の外径は、前記外筒の外径に対する５０％以上８０％以下であってよい。本態様によれば、内筒の外径が外筒の外径に対する８０％以下であるため、使用者が第２領域において外筒と内筒を区別し易く、外筒内における内筒の位置や状態を把握し易い。また、内筒の外径が外筒の外径に対する５０％以上であるため、内筒の外径が小さすぎることに起因する内筒の視認性の悪化を抑制でき、使用者が第２領域において内筒を視認し易い。
【００１２】
好ましい一態様によれば、前記内筒の前記挿入方向の前端における外径は、前記吸収体の前記挿入方向の後端における外径と異なってよい。本態様によれば、内筒の前端における外径と吸収体の後端における外径とが異なるため、使用者が内筒と吸収体の境界を把握し易い。よって、使用者は、外筒内部における吸収体及び内筒のそれぞれの動きを容易に把握でき、操作性に対する安心感を得ることができる。
【００１３】
好ましい一態様によれば、前記内筒は、前記内筒の外径が最大となる最外径部を有し、前記最外径部は、前記内筒の前記前端と離間してよい。本態様によれば、内筒の外径が変化しているとともに、内筒の挿入方向の前端から離れた位置に最外径部が設けられているため、最外径部が目立ち易い。使用者は、最外径部の移動状態によって内筒の移動状態を把握することができる。
【００１４】
好ましい一態様によれば、前記内筒は、前記挿入方向において三等分した複数の領域を有し、前記複数の領域は、前記挿入方向の前側に位置する前側領域と、前記挿入方向の後側に位置する後側領域と、前記前側領域と前記後側領域の間に位置する中央領域と、を有し、前記最外径部は、前記前側領域のみに配置されてよい。本態様によれば、最外径部を有する前側領域を目立たせることができる。前側領域は、吸収体と隣接する領域である。前側領域が目立つことにより、使用者が内筒と吸収体の境界をより把握し易くなる。
【００１５】
好ましい一態様によれば、前記内筒の前記前端における外径は、前記吸収体の前記後端における外径よりも小さくてよい。本態様によれば、挿入方向（軸方向）における内筒の前端を挟んだ両側には、吸収体の後端と内筒の最外径部が配置されている。吸収体の後端及び内筒の最外径部は、いずれも内筒の前端よりも外径が大きい。内筒の前端は、挿入方向において大きな径の部分に挟まれているため、目立ちやすい。よって、使用者が内筒と吸収体の境界をより把握し易くなる。
【００１６】
好ましい一態様によれば、前記内筒の前記最外径部における厚みは、前記内筒の前記前端における厚みよりも厚くてよい。最外径部は、その厚みが比較的厚く、濃くなる。一方、内筒の前端は、その厚みが比較的薄く、薄くなる。内筒に濃さが異なる部分があるため、使用者が内筒の動きをより把握し易い。また、最外径部は、濃いため、目立ちやすい。使用者は、最外径部の移動状態によって内筒の移動状態をより適切に把握することができる。
【００１７】
好ましい一態様によれば、前記外筒は、使用時に使用者が指で把持するための把持部を有し、前記把持部は、前記外筒の径方向の外側に膨らむ外筒凸部を有し、前記外筒凸部が設けられた領域の前記外筒の厚みが厚くてよい。本態様によれば、外筒凸部が設けられた領域は、その厚みが厚く、周囲の領域よりも濃い色となる。また、外筒凸部は、径方向の外側に膨らんでおり、使用者が視覚及び触覚によって認識し易い。使用者が把持部を把握し易くなり、操作性を向上できる。
【００１８】
好ましい一態様によれば、前記吸収体から前記挿入方向の後側に延出する紐部が設けられており、前記紐部の少なくとも一部は、前記内筒内に配置されており、前記紐部は、前記内筒の外側から視認可能に構成されてよい。本態様によれば、吸収体の紐部は、使用後に吸収体を体内から取り出す際に使用者が把持する部分である。使用者は、紐部の存在及び動きを内筒の外側から把握でき、操作性に対する安心感を得ることができる。
【００１９】
好ましい一態様によれば、前記内筒は、前記内筒の周囲の領域の厚みよりも厚い厚みを有する内筒厚部を有してよい。内筒厚部は、その厚みが厚く、周囲の領域よりも濃い色となる。内筒に濃い部分と薄い部分が設けられることにより、内筒全体が同じ濃さの構成と比較して、使用者が、内筒の動きを把握し易くなる。よって、操作性を向上できる。
【００２０】
好ましい一態様によれば、前記内筒厚部は、前記内筒の径方向の外側に膨らむ内筒凸部を有し、前記内筒凸部は、前記吸収体が前記外筒外に押し出される位置まで前記内筒が挿入方向に移動した押し出し状態において、前記外筒の前記挿入方向の後端に係止してよい。本態様によれば、吸収体が前記外筒外に押し出される位置まで内筒が移動した押し出し状態において、内筒凸部を介して内筒を外筒に係止できる。よって、使用者は、適切な位置まで内筒を挿入できたことを把握できる。また、一旦係止した内筒凸部が元に戻る方向へ移動しないように構成することで、体内からコンパクトに外筒及び内筒を取り出すことができる。
【００２１】
好ましい一態様によれば、前記外筒は、前記挿入方向の前端に設けられた押し出し開口と、前記押し出し開口を囲む複数の花弁状部分と、を有し、前記内筒は、前記押し出し状態において、前記複数の花弁状部分間の隙間と厚み方向に重なってよい。本態様によれば、押し出し状態において、外筒の外側から内筒を視認できる。使用者は、内筒を視認することによって適切な位置まで内筒を押し出す操作ができたこと、及び使用済み（吸収体が排出された後）であることを把握できる。
【００２２】
好ましい一態様によれば、前記外筒及び前記内筒は、寒色系の色であってよい。経血は、暖色系の色であり、寒色系に対して目立ち易い。近年、一旦使用した外筒及び内筒を洗浄し、繰り返し使用する試みが検討されている。このとき、外筒及び内筒が寒色系であることにより、使用者が経血の付着状態を把握し易い。
【００２３】
好ましい一態様によれば、前記外筒は、生分解性プラスチック又は植物性プラスチックによって構成されてよい。一旦使用した外筒及び内筒を洗浄し、繰り返し使用する際には、経血で汚れやすい外筒のみを交換することができる。このとき、外筒は、生分解性プラスチック又は植物性プラスチックによって構成されていることにより、廃棄する場合のごみを削減できる。
【００２４】
（２）実施形態に係る生理用タンポン
以下、図面を参照して、実施形態に係る生理用タンポンについて説明する。図１は、生理用タンポンの側面図であり、図２は、生理用タンポンを構成する部材の側面図である。図３は、生理用タンポン１の使用状態を説明するための図である。生理用タンポン１は、アプリケータ１０と、吸収体４０と、を備える。アプリケータ１０は、外筒２０と内筒３０とを有している。外筒２０及び内筒３０は、内部に中空部を有する筒形状である。なお、本実施の形態に係る外筒２０及び内筒３０の断面形状は、正円形であるが、本発明に係る外筒２０及び内筒３０の断面形状は、膣内に挿入し易い形状であればよく、例えば、楕円形であってもよい。外筒２０及び内筒３０は、ポリエチレン、ポリプロピレン等のポリオレフィン系樹脂、または表面をポリオレフィンフィルムでラミネートした厚紙によって全体が形成されている。
【００２５】
外筒２０の内部には、吸収体４０が収容されている。吸収体４０には、紐部４１が連結されている。紐部４１は、吸収体４０の後端４０２から挿入方向Ｓの後側に延出している。紐部４１の少なくとも一部は、内筒３０内に配置されている。紐部４１の一端（挿入方向Ｓの前端）は、吸収体４０に連結され、紐部４１の他端（挿入方向Ｓの後端）は、内筒３０よりも挿入方向Ｓの後側に延びている。使用者は、着用状態において紐部４１を引くことにより、吸収体４０を体内から引き出すことができる。挿入方向Ｓは、外筒２０が体内に挿入される方向、及び内筒３０が押圧される方向であり、内筒３０及び外筒２０の軸方向に沿っている
【００２６】
外筒２０は、吸収体４０の少なくとも一部を収容するように構成されている。外筒２０は、挿入方向Ｓの前端２０１と、挿入方向Ｓの後端２０２と、を有する。外筒２０の前端２０１には、押し出し開口２１が設けられている。押し出し開口２１には、吸収体４０が押し出される際に径方向外側に向けて変形する花弁状部分２２が形成されている。花弁状部分２２は、押し出し開口２１を囲んで複数配置されている。花弁状部分２２は、常時、押し出し開口２１の縁部で閉となっているが、図３（ｃ）に示すように、内筒３０によって吸収体４０が押し出されるときに吸収体４０によって押し広げられて開口する。これにより、吸収体４０が外筒２０から押し出され、吸収体４０を体内に挿入することができる。
【００２７】
外筒２０は、使用者が指で把持するための把持部２３を有する。把持部２３は、外筒２０の後端２０２側に位置する。把持部２３は、外筒２０の最大外径よりも小径である。把持部２３には、内筒３０の前端３０１が挿入されている。内筒３０の前端３０１は、吸収体４０に対向して配置されている。把持部２３は、外筒２０の径方向の外側に膨らむ外筒凸部２４を有してよい。外筒凸部２４は、径方向に延びる曲線状であり、外筒の周方向に間隔を空けて配置されている。また、外筒凸部２４は、挿入方向Ｓに間隔を空けて複数列（本実施の形態では４列）で配置されている。
【００２８】
内筒３０は、吸収体４０を外筒２０から押し出すように外筒２０内に挿入方向Ｓに沿って挿入される。内筒３０は、外筒２０の把持部２３に係合するように構成されており、挿入方向Ｓに沿って外筒２０に対してスライド移動可能である。内筒３０は、内筒３０の外径が最大となる最外径部３３を有している。本実施の形態の最外径部３３は、内筒３０の外周面２５において径方向の外側に突出した突起が設けられた部分である。突起は、内筒３０の周方向全体に設けられている。最外径部３３は、外筒２０の内側に配置されており、外筒２０の把持部２３に引っかかり、外筒２０の後端２０２から内筒３０が抜けることを防止する。なお、内筒３０と外筒２０とが係合した状態とは、それぞれの少なくとも一部が引っかかって所定方向への規制された状態や、それぞれの少なくとも一部が嵌合し、所定方向への移動が規制された状態である。
【００２９】
次いで、このように構成された生理用タンポン１の使用方法について、図３を参照して説明する。使用前には、図３（ａ）に示すように、外筒２０内には、吸収体４０と、内筒３０の一部と、が収納されている。使用時には、図３（ａ）に示すように、吸収体４０が外筒２０内に収容された状態で、外筒２０を膣口内に挿入する。そして、外筒２０の把持部２３が膣口近傍に到達した状態で、使用者は、外筒２０を挿入方向Ｓに移動しないように把持部２３を把持しつつ、内筒３０を挿入方向Ｓに押圧する。これにより、図３（ｂ）に示すように、内筒３０の前端３０１が吸収体４０の後端４０２に当接する。使用者が、図３（ｂ）に示す状態から更に内筒３０を押圧すると、内筒３０及び吸収体４０が挿入方向Ｓに移動し、吸収体４０によって外筒２０の花弁状部分２２が広げられ、外筒２０の押し出し開口２１から吸収体４０が突出する（図３（ｃ）参照）。図３（ｃ）に示す状態から使用者が更に内筒３０を押圧すると、吸収体４０の全体が外筒２０外に押し出される。図３（ｄ）は、吸収体４０が外筒外に押し出される位置まで内筒が挿入方向に移動した押し出し状態を示している。吸収体４０の全体が外筒２０外に押し出された状態で、アプリケータ１０のみを膣内から取り出すことで、吸収体４０を膣内に配置することができる。
【００３０】
本実施の形態の生理用タンポン１は、使用者が外筒２０の外側から外筒２０内部の状態を把握し易く構成されている。次いで、外筒２０内部の状態を視認し易くする構成について詳細に説明する。外筒２０の光線透過率は、３０％以上である。なお、光線透過率は、周知の方法で測定するとよい。例えば、日本電色工業株式会社製の測色色差計又はそれと同等のものを用いて、ＪＩＳ  Ｋ  ７３７５に準拠して測定できる。発明者による試行の結果、外筒２０の光線透過率が３０％以上である場合、使用者は、外筒２０の外側から外筒２０内部を視認可能となることがわかった。なお、本実施の形態における「視認可能」とは、昼白色（色温度目安 ４６００〜５４００ Ｋ（ケルビン））で明るく照明された室内(目安：５００〜７５０ ｌｘ（ルクス））で約３０〜５０ｃｍの距離で、良好な視力（１．０以上）を両眼に有する被験者が対象物を見たときに視認できる事を意味している。外筒２０は、外部から内部を視認可能であればよく、透明であってもよいし、半透明であってもよい。
【００３１】
生理用タンポンは、吸収体４０が外筒２０内に挿入された状態において、外筒２０と吸収体４０が厚み方向に重なる第１領域Ｒ１と、外筒２０と内筒３０が厚み方向に重なる第２領域Ｒ２と、を有する。L*a*b*色空間における第１領域Ｒ１の外筒２０の外周面２５の色差と、L*a*b*色空間における第２領域Ｒ２の外筒２０の外周面２５の色差、の差は、６．５以上であり、より好ましくは、７．０以上であってよい。発明者による試行の結果、２つの領域を比べた際に領域の差が６．５以上であることにより、使用者は、２つの領域を区別して認識し易いことがわかった。第１領域Ｒ１の外筒２０の外周面２５の色差と第２領域Ｒ２の外筒２０の外周面２５の色差の差が６．５以上であるため、使用者は、吸収体４０が配置された領域と内筒３０が配置された領域を区別して認識できる。そのため、外筒２０内における吸収体４０の位置や状態、及び外筒２０内における内筒３０の位置や状態を把握し易い。使用者は、外筒２０内部の状態を容易に把握できるため、例えば、使用前に、内筒３０をどの程度押圧することによって吸収体４０が移動すること等、操作時における外筒２０内部の状態を把握できる。使用前に生理用タンポンの操作に対する不安を払拭することにより、実際の使用時に安心感を得ることができるとともに、適切かつ容易に操作することができ、操作性を向上できる。
【００３２】
ここで、色差は、「色差」は、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。色差測定器は、例えば、Konica Minolta社製 CR-300を用いることができ、測定機器の光源としては、C光源(国際照明委員会(CIE)の規格)を用いることができる。具体的に、測定対象たる２点間のL*値の差がΔL*、a*の差がΔa*、b*値の差がΔb*であるときに、色差ΔＥ＝[(ΔL*)2＋(Δa*)2＋(Δb*)2]1/2によって求められる。第１領域Ｒ１の外筒２０の外周面２５の色差及び第２領域Ｒ２の外筒２０の外周面２５の色差は、白色基準板に対する色差である。白色基準板は、（X95.478、a5.106、b-4.974）でlab０に設定する。白色基準板の上に、ADVANTECの濾紙（100×100mm, Quantity1000）を２枚重ねた状態で、測定対象を載せる。なお、測定対象が円筒形状である場合には、円筒を軸方向に沿って切断し、平らにする。測定機器の光源としては、C光源(国際照明委員会(CIE)の規格)を用いることができる。測定機器の測定窓の直径は、４０ｍｍである。ここでLは、明るさを指標する値であり、ａ、ｂは、色度の平面座標である。白色基準板のLab値をL0、a0、b0とし、対象サンプルのL1、a1、b1とすると、ΔＬ＝L0-L1、Δa＝a0- a1、Δb＝b0- b1によって算出できる。５本分測定して、その平均値を色差としている。また、第１領域の外筒の外周面の色差と、第２領域の外筒の外周面の色差と、の差は、第１領域の外筒の外周面の色差をΔＥ1とし、第２領域の外筒の外周面の色差をΔＥ2とし、ΔＥ1−ΔＥ2の絶対値によって算出できる。また、第１領域Ｒ１及び第２領域Ｒ２は、図３に示すように、生理用タンポン１の操作過程、すなわち外筒２０と内筒３０の相対位置によって変化する。そのため、第１領域Ｒ１及び第２領域Ｒ２についての構成は、いずれかの操作過程において構成を満たしていればよい。
【００３３】
第１領域Ｒ１の外筒２０の外周面２５の色差と第２領域Ｒ２の外筒２０の外周面２５の色差の差が６．５以上となる形態としては、吸収体４０が着色され、かつ吸収体４０と異なる色で内筒３０が着色されている構成、吸収体４０が着色され、かつ内筒３０が着色されていない構成、吸収体４０が着色されてなく、内筒３０が着色された構成を例示できる。着色する構成は、原料自体に顔料等を練り込むことによって形成してもよいし、インク等による印刷によって二次的に形成してもよい。外筒２０は、着色されずに、白色又は透明であってよい。本実施の形態の吸収体４０及び外筒２０は、白色であり、内筒３０は、青色である。
【００３４】
第２領域Ｒ２において、内筒３０は、外筒２０内に配置されており、内筒３０の外径Ｄ３０は、外筒２０の内径よりも小さい。第２領域Ｒ２において、内筒３０の外径Ｄ３０は、外筒２０の外径Ｄ２０に対する５０％以上８０％以下であってよい。なお、内筒３０の外径Ｄ３０及び外筒２０の外径Ｄ２０が変化する形態にあっては、第２領域Ｒ２における内筒３０の最小の外径Ｄ３０が、第２領域Ｒ２における外筒２０の最大の外径Ｄ２０に対する５０％以上８０％以下であればよい。内筒３０の外径Ｄ３０が外筒２０の外径Ｄ２０に対する８０％以下であるため、使用者が第２領域Ｒ２において外筒２０と内筒３０を区別し易く、外筒２０内における内筒３０の位置や状態を把握し易い。また、内筒３０の外径Ｄ３０が外筒２０の外径Ｄ２０に対する５０％以上であるため、内筒３０の外径Ｄ３０が小さすぎることに起因する内筒３０の視認性の悪化を抑制でき、使用者が第２領域Ｒ２において内筒３０を視認し易い。
【００３５】
図２に示すように、内筒３０の挿入方向Ｓの前端における外径Ｄ３０１は、吸収体４０の挿入方向Ｓの後端における外径Ｄ４０２と異なってよい。内筒３０の前端３０１における外径Ｄ３０１と吸収体４０の後端４０２における外径とが異なるため、使用者が内筒３０と吸収体４０の境界を把握し易い。より詳細には、生理用タンポン１の操作過程では、図３（ｂ）及び（ｃ）に示すように、内筒３０の前端３０１と吸収体４０の後端４０２とが当接する。このとき、内筒３０の前端３０１における外径Ｄ３０１と吸収体４０の後端４０２における外径Ｄ４０２とが異なるため、使用者が吸収体４０と内筒３０の境界を把握し易い。よって、使用者は、外筒２０内部における吸収体４０及び内筒３０のそれぞれの動きを容易に把握でき、操作性に対する安心感を得ることができる。
【００３６】
内筒３０の最外径部３３は、内筒３０の前端３０１と離間してよい。すなわち、内筒３０の前端３０１の外径Ｄ３０１は、内筒３０の最外径部３３の外径と異なっており、内筒３０の最外径部３３の外径よりも小さい。内筒３０の外径が変化しているとともに、内筒３０の前端３０１から離れた位置に最外径部３３が設けられているため、最外径部３３が目立ち易い。最外径部３３は、外筒２０内に配置されており、使用者は、最外径部３３の移動状態によって外筒２０内部における内筒３０の移動状態を把握することができる。また、本実施の形態の内筒３０は、最外径部３３から内筒３０の前端３０１に向かって徐々に径が小さくなっている。最外径部３３と前端３０１との間における内筒の側面視における外周面は、前端３０１に向かって先細り形状である。当該構成によれば、内筒３０の前端３０１を目立たせることができ、使用者が吸収体４０と内筒３０の境界をより把握し易くなる。
【００３７】
図２（ｂ）に示すように、内筒３０は、挿入方向Ｓにおいて三等分した複数の領域を有する。複数の領域は、挿入方向Ｓの前側に位置する前側領域Ｒ３１と、挿入方向の後側に位置する後側領域Ｒ３２と、前側領域Ｒ３１と後側領域Ｒ３２の間に位置する中央領域Ｒ３３と、を有する。前側領域Ｒ３１の挿入方向に沿った長さ、後側領域Ｒ３２の挿入方向Ｓに沿った長さ、及び中央領域Ｒ３３の挿入方向Ｓに沿った長さは、同じである。前側領域Ｒ３１は、内筒３０の前端３０１を含む領域であり、後側領域Ｒ３２は、内筒３０の後端３０２を含む領域である。最外径部３３は、前側領域Ｒ３１のみに配置されており、後側領域Ｒ３２及び中央領域Ｒ３３に設けられていなくてよい。当該構成によれば、最外径部３３を有する前側領域Ｒ３１を目立たせることができる。前側領域Ｒ３１は、吸収体４０と隣接する領域である。前側領域Ｒ３１が目立つことにより、使用者が内筒３０と吸収体４０の境界をより把握し易くなる。
【００３８】
内筒３０の前端３０１における外径Ｄ３０１は、吸収体４０の後端４０２における外径Ｄ４０２と異なってよい。当該構成によれば、使用者が吸収体４０と内筒３０の境界をより把握し易くなる。また、好適には、内筒３０の前端３０１における外径Ｄ３０１は、吸収体４０の後端４０２における外径Ｄ４０２よりも小さくてよい。挿入方向（軸方向）における内筒３０の前端３０１を挟んだ両側には、吸収体４０の後端４０２と内筒３０の最外径部３３が配置されている。吸収体４０の後端４０２及び内筒３０の最外径部３３は、いずれも内筒３０の前端３０１よりも外径が大きい。内筒３０の前端３０１は、挿入方向Ｓにおいて大きな径の部分に挟まれているため、目立ちやすい。よって、使用者が内筒３０と吸収体４０の境界をより把握し易くなる。
【００３９】
内筒３０の厚みは、変化してよい。内筒３０の厚みは、内筒３０の外周面３５と内周面３６との厚み方向の距離である。内筒の厚みが変化することにより、濃く見える部分と薄く見える部分が設けられ、使用者が内筒３０の移動状態をより把握し易くなる。好適には、図２（ｂ）に示すように、内筒３０の最外径部３３における厚みＴ３３は、内筒３０の前端３０１における厚みＴ３０１よりも厚くてよい。当該構成によれば、最外径部３３は、その厚みが比較的厚く、濃く見える。一方、内筒３０の前端３０１は、その厚みが比較的薄く、薄く見える。より詳細には、内筒３０が透明又は半透明の場合には、その厚みが厚いほど光線透過率が低くなり、透け難い。また、白色の場合や着色された場合には、その厚みが厚いほど、色が濃くなる。内筒３０に濃さが異なる部分があるため、使用者が内筒３０の動きをより把握し易い。また、最外径部３３は、濃いため、目立ちやすい。使用者は、最外径部３３の移動状態によって内筒３０の移動状態をより適切に把握することができる。また、最外径部３３の外周面は、内筒３０の前端３０１における外周面よりも径方向の外側に位置し、外筒２０の外周面２５に近い。そのため、外筒２０の外側から視認した際に、使用者は、最外径部３３をより濃く認識できる。そのため、使用者は、最外径部３３の移動状態によって内筒３０の移動状態をより適切に把握することができる。
【００４０】
同様に、外筒２０の厚みは、変化してよい。外筒２０の厚みは、外筒２０の外周面２５と内周面２６との厚み方向の距離である。外筒２０の厚みが変化することにより、内部に収容した内筒３０及び吸収体４０を視認し易い部分と視認し難い部分を設けることができ、使用者が外筒２０内における内筒３０等の相対的な位置を把握し、内筒３０等の移動状態をより把握し易くなる。好適には、図２（ａ）に示すように、外筒凸部２４が設けられた領域の外筒２０の厚みＴ２４は、把持部２３における外筒凸部以外の領域の外筒２０の厚みＴ２３よりも厚くてよい。外筒凸部２４が設けられた領域は、その厚みが厚く、周囲の領域よりも濃い色となる。また、外筒凸部２４は、径方向の外側に膨らんでおり、使用者が視覚及び触覚によって認識し易い。使用者が把持部２３を把握し易くなり、操作性を向上できる。
【００４１】
紐部４１は、外筒２０の外側から視認可能に構成されてよい。紐部４１は、使用後に吸収体を体内から取り出す際に使用者が把持する部分である。使用者は、紐部４１の存在及び動きを内筒３０の外側から把握でき、操作性に対する安心感を得ることができる。好適には、第２領域Ｒ２において、紐部４１は、外筒２０の外側から視認可能であってよい。使用者は、操作時における紐部４１の位置や状態を把握でき、操作性に対する安心感をより得ることができる。
【００４２】
内筒３０は、内筒３０の周囲の領域の厚みよりも厚い厚みを有する内筒厚部３７を有している。内筒厚部３７は、上述した最外径部３３によって構成されていてもよいし、最外径部３３とは別の部分によって構成されていてよい。本実施の形態の内筒厚部３７は、最外径部３３と、内筒３０の径方向の外側に膨らむ内筒凸部３８と、を有する。内筒凸部３８は、第１内筒凸部３８１と第２内筒凸部３８２を有する。第１内筒凸部３８１は、内筒３０の後側領域Ｒ３２に設けられ、ハート柄の装飾部を構成している。第２内筒凸部３８２は、内筒３０の後端３０２に設けられている。第２内筒凸部３８２は、第１内筒凸部３８１よりも径方向の外側に膨らんでいる。内筒厚部は、その厚みが厚く、周囲の領域よりも濃い色となる。内筒３０に濃い部分と薄い部分が設けられることにより、内筒３０全体が同じ濃さの構成と比較して、使用者が、内筒３０の動きを把握し易くなる。よって、操作性を向上できる。
【００４３】
内筒凸部３８は、図３（ｄ）に示す押し出し状態において、外筒２０の後端２０２に係止してよい。押し出し状態において、内筒凸部３８を介して内筒３０を外筒２０に係止できる。よって、使用者は、適切な位置まで内筒を挿入できたことを把握できる。また、一旦係止した内筒凸部３８が元に戻る方向へ移動しないように構成することで、体内からコンパクトに外筒及び内筒を取り出すことができる。
【００４４】
図３（ｄ）に示すように、内筒は、押し出し状態において、複数の花弁状部分２２間の隙間と厚み方向に重なってよい。押し出し状態において、外筒２０の外側から内筒３０を視認できる。使用者は、内筒３０を視認することによって適切な位置まで内筒を押し出す操作ができたこと、及び使用済み（吸収体が排出された後）であることを把握できる。
【００４５】
外筒２０及び内筒３０は、寒色系の色であってよい。経血は、暖色系の色であり、寒色系に対して目立ち易い。近年、一旦使用した外筒２０及び内筒３０を洗浄し、繰り返し使用する試みが検討されている。このとき、外筒２０及び内筒３０が寒色系であることにより、使用者が経血の付着状態を把握し易い。なお、寒色系の色は、寒い印象を与える色、すなわち、青またはそれに近い色である。また、寒色系の色は、青緑〜青〜紫みの青の色相であってもよい。また、青色は、ＣＩＥ Ｌ＊ａ＊ｂ＊色空間における以下のａおよびｂの値、−２０≦ａ≦４０およびｂ≦−５０、好ましくは−１５≦ａ≦３０およびｂ≦−６０、特に−１０≦ａ≦２０およびｂ＜−６５の色である。
【００４６】
外筒２０は、生分解性プラスチック又は植物性プラスチックによって構成されてよい。一旦使用した外筒２０及び内筒３０を洗浄し、繰り返し使用する際には、経血で汚れやすい外筒のみを交換することができる。このとき、外筒２０は、生分解性プラスチック又は植物性プラスチックによって構成されていることにより、廃棄する場合のごみを削減できる。ここで、生分解性プラスチックとしては、ポリヒドロキシブチレート、ポリヒドロキシヘキサノエート、ポリ乳酸、ポリカプロラクトン、ポリカプロラクトン、ポリブチレンサクシネート、ポリアジペート、ポリカーボネート、ポリエチレンテレフタレート、ポリブチレンアジペート、ポリテトラメチレンアジペート、ポリエチレンサクシネート、ポリビニールアルコール、ポリグリコール酸などを例示できる。また、植物性プラスチックとしては、トウモロコシやサトウキビ植物などのバイオマス資源を原料としたプラスチック（非石油由来）を例示できる。
【００４７】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【００４８】
本態様によれば、外筒内部の状態を把握し易くすることで、安心感を付与するとともに、操作性を向上できる生理用タンポンを提供する。
【符号の説明】
【００４９】
１  ：生理用タンポン、２  ：外筒、３  ：内筒、１０  ：アプリケータ、２０  ：外筒、２０１  ：外筒の前端、２０２  ：外筒の後端、２１  ：押し出し開口、２２  ：花弁状部分、２３  ：把持部、２４  ：外筒凸部、３０  ：内筒、３０１  ：内筒の前端、３０２  ：内筒の後端、３３  ：最外径部、３５  ：外周面、３６  ：内周面、３７  ：内筒厚部、３８  ：内筒凸部、４０  ：吸収体、４１  ：紐部、Ｒ１  ：第１領域、Ｒ２  ：第２領域、Ｒ３１    ：前側領域、Ｒ３２    ：後側領域、Ｒ３３    ：中央領域、Ｓ  ：挿入方向、Ｔ  ：厚み方向
【図１】
2020014929.tif 000003
【図２】
2020014929.tif 000004
【図３】
2020014929.tif 000005